【手続補正書】
【提出日】平成15年12月19日(2003.12.19)
【手続補正１】
【補正対象書類名】明細書
【補正対象項目名】特許請求の範囲
【補正方法】変更
【補正の内容】
【特許請求の範囲】
【請求項１】
被写体画像を取込んで撮像画像を記録する撮像手段と前記撮像画像を表示する表示手段を備えた撮像装置において、
前記表示手段に表示された撮像画像に他の撮像画像をリンクさせてリンク画像として記録するリンク画像撮影手段と、
撮像画像を再生し、再生された画像と共にその画像にリンクするリンク画像の存在を示すアイコンを表示するリンク画像表示手段と、
前記表示されたアイコンが選択されたときに、選択されたアイコンに対応するリンク画像を撮像画像のうちから選択するリンク表示画像判定手段と、
を有することを特徴とする撮像装置。
【請求項２】
前記リンク画像撮影手段は、表示された撮像画像の所望の部分に次の撮像画像をリンクしてリンク画像として記録することを特徴とする請求項１記載の撮像装置。
【請求項３】
前記リンク画像撮影手段は、さらに音声情報をリンクして記録する音声情報リンク手段を含み、
前記リンク画像表示手段は、前記記録画像のうちから選択されたリンク画像の再生時に、リンクされた音声情報を再生して出力する音声情報出力手段を含む、ことを特徴とする請求項１または２記載の撮像装置。
【請求項４】
前記リンク画像撮影手段は、前記リンク画像の記録時に先の撮像画像と次の撮像画像をリンクするリンク情報を記録することを特徴とする請求項１または２記載の撮像装置。
【請求項５】
記録されているリンク画像を取り出して再生／表示したとき、前記リンク画像にリンクさせて撮像画像を記録するリンク画像追加手段を有することを特徴とする請求項１または２記載の撮像装置。
【請求項６】
記録されている画像を取り出して再生／表示したとき、前記再生／表示された画像にリンクさせて撮像画像を記録するリンク画像追加手段を有することを特徴とする請求項１または２記載の撮像装置。
【請求項７】
被写体画像を取込んで撮像画像をリンクさせて記録する撮像手段と前記撮像画像を表示する表示手段を備えた撮像装置において、
表示された撮像画像の所望の部分を指定し、指定部分を含む範囲の部分画像を得て、前記撮像画像と前記部分画像とを対応付けることを特徴とする撮像画像のリンク方法。
【請求項８】
被写体画像を取込んで撮像画像をリンクさせて記録する撮像手段と前記撮像画像を表示する表示手段を備えた撮像装置において、
表示された撮像画像の所望の部分を含む範囲の部分画像を得て、前記撮像画像と前記部分画像との近似度に基づいて前記撮像画像と前記部分画像を対応付けることを特徴とする撮像画像のリンク方法。
【請求項９】
被写体画像を取込んで撮像画像をリンクさせて記録する撮像手段と前記撮像画像を表示する表示手段を備えた撮像装置において、
記録されている画像を取り出して再生し、前記再生された画像と共にその画像にリンクするリンク画像の存在を示すアイコンを表示し、前記表示されたアイコンが選択されたときに、選択されたアイコンに対応するリンク画像を記録画像のうちから取り出して再生／表示することを特徴とする撮像画像のリンク表示方法。
【請求項１０】
被写体画像を取込んで撮像画像として記録する撮像手段と前記撮像画像を表示する表示手段を備えた撮像装置において、
前記表示手段に表示された撮像画像に他の撮像画像をリンクさせてリンク画像として記録するリンク作成手段と、
撮像画像のうちから選択された画像を再生し、この再生された画像と共にこの画像にリンクするリンク画像の存在を示すアイコンを表示するリンク画像表示手段と、
前記表示されたアイコンが選択されたときに、選択されたアイコンに対応するリンク画像を撮像画像のうちから選択するリンク表示画像判定手段と、
を有することを特徴とする撮像装置。
【手続補正２】
【補正対象書類名】明細書
【補正対象項目名】０００６
【補正方法】変更
【補正の内容】
【０００６】
【課題を解決するための手段】
上記の目的を達成するために、第１の発明の撮像装置は、被写体画像を取込んで撮像画像を記録する撮像手段と前記撮像画像を表示する表示手段を備えた撮像装置において、前記表示手段に表示された撮像画像に他の撮像画像をリンクさせてリンク画像として記録するリンク画像撮影手段と、撮像画像を再生し、再生された画像と共にその画像にリンクするリンク画像の存在を示すアイコンを表示するリンク画像表示手段と、前記表示されたアイコンが選択されたときに、選択されたアイコンに対応するリンク画像を撮像画像のうちから選択するリンク表示画像判定手段と、を有することを特徴とする。


【手続補正３】
【補正対象書類名】明細書
【補正対象項目名】００１０
【補正方法】変更
【補正の内容】
【００１０】
また、第５の発明の撮像装置は、上記第１あるいは第２の発明の撮像装置で、記録されているリンク画像を取り出して再生／表示したとき、リンク画像にリンクさせて撮像画像を記録するリンク画像追加手段を有することを特徴とする。


【手続補正４】
【補正対象書類名】明細書
【補正対象項目名】００１１
【補正方法】変更
【補正の内容】
【００１１】
また、第６の発明の撮像装置は、上記第１あるいは第２の発明の撮像装置で、記録されている画像を取り出して再生／表示したとき、再生／表示された画像にリンクさせて撮像画像を記録するリンク画像追加手段を有することを特徴とする。


【手続補正５】
【補正対象書類名】明細書
【補正対象項目名】００１２
【補正方法】変更
【補正の内容】
【００１２】
また、第７の発明の撮像画像のリンク方法は、被写体画像を取込んで撮像画像をリンクさせて記録する撮像手段と撮像画像を表示する表示手段を備えた撮像装置において、表示された撮像画像の所望の部分を指定し、指定部分を含む範囲の部分画像を得て、撮像画像と部分画像とを対応付けることを特徴とする。


【手続補正６】
【補正対象書類名】明細書
【補正対象項目名】００１３
【補正方法】変更
【補正の内容】
【００１３】
また、第８の発明の撮像画像のリンク方法は、被写体画像を取込んで撮像画像をリンクさせて記録する撮像手段と撮像画像を表示する表示手段を備えた撮像装置において、表示された撮像画像の所望の部分を含む範囲の部分画像を得て、撮像画像と部分画像との近似度に基づいて撮像画像と部分画像を対応付けることを特徴とする。


【手続補正７】
【補正対象書類名】明細書
【補正対象項目名】００１４
【補正方法】変更
【補正の内容】
【００１４】
また、第９の発明の撮像画像のリンク表示方法は、被写体画像を取込んで撮像画像をリンクさせて記録する撮像手段と撮像画像を表示する表示手段を備えた撮像装置において、記録されている画像を取り出して再生し、前記再生された画像と共にその画像にリンクするリンク画像の存在を示すアイコンを表示し、表示されたアイコンが選択されたときに、選択されたアイコンに対応するリンク画像を記録画像のうちから取り出して再生／表示することを特徴とする撮像画像のリンク表示方法である。
また、第１０の発明の表示手段を備えた撮像装置は、被写体画像を取込んで撮像画像として記録する撮像手段と前記撮像画像を表示する表示手段を備えた撮像装置において、前記表示手段に表示された撮像画像に他の撮像画像をリンクさせてリンク画像として記録するリンク作成手段と、撮像画像のうちから選択された画像を再生し、この再生された画像と共にこの画像にリンクするリンク画像の存在を示すアイコンを表示するリンク画像表示手段と、前記表示されたアイコンが選択されたときに、選択されたアイコンに対応するリンク画像を撮像画像のうちから選択するリンク表示画像判定手段と、を有することを特徴とする。
【手続補正８】
【補正対象書類名】明細書
【補正対象項目名】０１０２
【補正方法】変更
【補正の内容】
【０１０２】
【発明の効果】
以上説明したように、第１の発明の撮像装置および第７，第８の発明の撮像画像のリンク方法によれば、表示された撮像画像にリンクさせて次の撮像画像をリンク画像として記録できるので、画像のグループ化が簡単にできる。また。第１の発明の撮像装置および第９の発明の撮像画像のリンク表示方法によれば、表示されたアイコンを指定するだけでリンクされた画像を簡単に表示することができる。
【手続補正９】
【補正対象書類名】明細書
【補正対象項目名】０１０３
【補正方法】変更
【補正の内容】
【０１０３】
また、第２の発明の撮像装置は、表示された撮像画像の所望の部分にリンクさせて次の撮像画像をリンク画像として記録するので、画像のリンク付けを簡単に行なえる。